(57)【特許請求の範囲】
【請求項１】
複数のカラオケ演奏端末とネットワーク接続されたサーバを有し、パーソナル携帯端末にインストール可能なアプリケーションソフトを用いて、任意のカラオケ演奏端末と関連付けられたカラオケリモコン装置を介し、当該カラオケ演奏端末を含むカラオケシステムにログインすることが可能であって、個人情報記憶手段と、個人情報送信手段と、個人情報受信手段と、個人情報登録手段と、ダウンロードサイト情報送信手段と、仮ログイン手段と、ログイン用アプリケーションソフト生成手段と、インストール手段と、ログイン認証情報送信手段と、ログイン認証手段と、を備え、
前記個人情報記憶手段は、パーソナル携帯端末において、少なくとも、当該パーソナル携帯端末の所有者の個人情報と、当該パーソナル携帯端末のメールアドレスとを記憶し、
前記個人情報送信手段は、利用者がログインに使用するパーソナル携帯端末から、ログインを所望するカラオケリモコン装置及びカラオケ演奏端末の少なくとも一方に、前記個人情報及びメールアドレスを送信し、
前記個人情報受信手段は、前記カラオケリモコン装置又は前記カラオケ演奏端末の少なくとも一方を介して、前記個人情報及びメールアドレスを受信し、
前記個人情報登録手段は、前記受信した個人情報とメールアドレスとを関連付けて個人情報データベースに登録し、
前記ダウンロードサイト情報送信手段は、前記個人情報データベースに登録されたパーソナル携帯端末のメールアドレスに対して、ログイン用アプリケーションソフト生成サイトに接続するための、当該パーソナル携帯端末の所有者を特定可能な仮ログイン情報を含むサイト情報をメール送信し、
前記仮ログイン手段は、前記受信したサイト情報に基づいて、ログイン用アプリケーション生成サイトに仮ログインし、
前記ログイン用アプリケーションソフト生成手段は、前記仮ログインしたパーソナル携帯端末にダウンロードして使用させるため、当該利用者を特定するための利用者特定情報と、少なくとも当該仮ログインした利用者により入力されたパスワードとを含むログイン認証情報を組み込んだログイン用アプリケーションソフトをダウンロード可能に生成し、
前記インストール手段は、前記仮ログインしたパーソナル携帯端末において、前記ダウンロード可能に生成されたログイン用アプリケーションソフトをダウンロードしてインストールし、
前記ログイン認証情報送信手段は、任意のパーソナル携帯端末において、インストールされたログイン用アプリケーションソフトの機能を用いて、ログインを所望するカラオケリモコン装置及びカラオケ演奏端末の少なくとも一方に、ログイン認証情報を送信し、
前記ログイン認証手段は、前記カラオケリモコン装置又は前記カラオケ演奏端末の少なくとも一方を介して、ログイン認証情報を受信した場合に、当該ログイン認証情報に含まれる利用者特定情報で特定される利用者のログインを認証する、
ことを特徴とするパーソナル携帯端末を用いたカラオケログインシステム。
【発明の詳細な説明】
【技術分野】
【０００１】
本発明は、パーソナル携帯端末にインストール可能なアプリケーションソフトを用いて、カラオケ演奏端末を含むカラオケシステムにログインすることが可能なカラオケログインシステムに関するものである。
【背景技術】
【０００２】
近年普及している通信カラオケシステムでは、会員情報管理サーバにおいて会員情報をデータベース化して管理している。そして、会員情報管理サーバにネットワーク接続された複数のカラオケ演奏端末を含むカラオケシステムにおいて、利用者がログインを行うと、会員情報管理サーバから会員情報を取得して、利用者を特定して選曲予約操作等を行うことができるようになっている。
【０００３】
このようなカラオケ演奏端末を含むカラオケシステムでログインを行うには、当該カラオケ演奏端末に関連付けられている（ペアリングされている）カラオケリモコン装置を用いて、利用者ＩＤ及びパスワードを入力しなければならない。ところで、近年では、銀行カード、クレジットカード、各種の店舗における会員カード、インターネットショッピング等において、それぞれ利用者ＩＤ及びパスワードが設定されており、これらのカードやサービスを利用する際には、利用者ＩＤやパスワードの入力が必須となっている。
【０００４】
しかし、複数のカードやサービスに対して、同一の利用者ＩＤ及びパスワードを設定したり、利用者ＩＤ及びパスワードを紙媒体等に記載しておいたりすることは、セキュリティ面で好ましくなく、利用者は、数多くの利用者ＩＤやパスワードを暗記しておかなければならない。そして、数多くの利用者ＩＤやパスワードを暗記している場合には、カードやサービスの利用に際して、利用者ＩＤやパスワードを思い出せない場合がある。
【０００５】
このような不都合に対して、特にカラオケ演奏端末を含むカラオケシステムにおいて、ＩＤカードを用いてシステムログインする技術が普及している（例えば、特許文献１参照）。この特許文献１に記載されている技術は、カラオケリモコン装置に、利用者ＩＤ記録媒体であるＩＣカードに記憶された利用者情報を読み取るためのカードリーダが設けられている。そして、利用者が自らのＩＣカードをカードリーダにセットすると、利用者ＩＤ取得手段の機能により、利用者ＩＤを識別して取得し、取得された利用者ＩＤが中央制御部に送信される。利用者ＩＤは、ネットワーク通信回線を介してカラオケホスト装置へ転送され、当該利用者がカラオケシステムにログインすることができるようになっている。
【先行技術文献】
【特許文献】
【０００６】
【特許文献１】特開２００７−１９３２７３号公報
【発明の概要】
【発明が解決しようとする課題】
【０００７】
しかしながら、ＩＣカードを利用したログインシステムであっても、ＩＣカードの所持を忘れてしまえば、ＩＣカードによるログインを行うことができず、結局、カラオケリモコン装置を用いて、利用者ＩＤ及びパスワードを入力しなければならないことになり、上述した問題を解決するには至っていない。
【０００８】
ところで、現在普及している携帯電話機やスマートフォン等のパーソナル携帯端末は、電話機能だけではなく、ｅ−ｍａｉｌやデータの送受信機能、アプリケーションソフトのインストール機能を備えており、各種のデータを送受信したり、アプリケーションソフトを用いた各種の処理を行ったりすることができる。さらに、このような機能を有するパーソナル携帯端末は、一般大衆の間で広く普及している。したがって、このようなパーソナル携帯端末の機能を利用することにより、ＩＣカードを所持しない場合や、パスワードを忘れてしまった場合であっても、カラオケ演奏端末へ容易にログインすることが可能なシステムを構築することができる。
【０００９】
本発明は、上述した事情に鑑み提案されたもので、パーソナル携帯端末にインストール可能なアプリケーションソフトを用いて、カラオケ演奏端末を含むカラオケシステムにログインすることができるようにしたものである。
【課題を解決するための手段】
【００１０】
本発明のパーソナル携帯端末を用いたカラオケログインシステムは、上述した目的を達成するため、以下の特徴点を有している。すなわち、本発明のパーソナル携帯端末を用いたカラオケログインシステムは、複数のカラオケ演奏端末とネットワーク接続されたサーバを有し、パーソナル携帯端末にインストール可能なアプリケーションソフトを用いて、任意のカラオケ演奏端末と関連付けられたカラオケリモコン装置を介し、当該カラオケ演奏端末を含むカラオケシステムにログインすることが可能であって、個人情報記憶手段と、個人情報送信手段と、個人情報受信手段と、個人情報登録手段と、ダウンロードサイト情報送信手段と、仮ログイン手段と、ログイン用アプリケーションソフト生成手段と、インストール手段と、ログイン認証情報送信手段と、ログイン認証手段とを備えたことを特徴とするものである。
【００１１】
個人情報記憶手段は、パーソナル携帯端末において、少なくとも、当該パーソナル携帯端末の所有者の個人情報と、当該パーソナル携帯端末のメールアドレスとを記憶するための手段である。個人情報送信手段は、利用者がログインに使用するパーソナル携帯端末から、ログインを所望するカラオケリモコン装置及びカラオケ演奏端末の少なくとも一方に、個人情報及びメールアドレスを送信するための手段である。個人情報受信手段は、カラオケリモコン装置又はカラオケ演奏端末の少なくとも一方を介して、個人情報及びメールアドレスを受信するための手段である。
【００１２】
個人情報登録手段は、受信した個人情報とメールアドレスとを関連付けて個人情報データベースに登録するための手段である。ダウンロードサイト情報送信手段は、個人情報データベースに登録されたパーソナル携帯端末のメールアドレスに対して、ログイン用アプリケーションソフト生成サイトに接続するための、当該パーソナル携帯端末の所有者を特定可能な仮ログイン情報（メールアドレス、仮ログインＩＤ等）を含むサイト情報をメール送信するための手段である。
【００１３】
仮ログイン手段は、受信したサイト情報に基づいて、ログイン用アプリケーション生成サイトに仮ログインするための手段である。ログイン用アプリケーションソフト生成手段は、仮ログインしたパーソナル携帯端末にダウンロードして使用させるため、当該利用者を特定するための利用者特定情報（入力情報、仮ログインＩＤ等）と、少なくとも当該仮ログインした利用者により入力されたパスワードとを含むログイン認証情報を組み込んだログイン用アプリケーションソフトをダウンロード可能に生成するための手段である。
【００１４】
インストール手段は、仮ログインしたパーソナル携帯端末において、ダウンロード可能に生成されたログイン用アプリケーションソフトをダウンロードしてインストールするための手段である。ログイン認証情報送信手段は、任意のパーソナル携帯端末において、インストールされたログイン用アプリケーションソフトの機能を用いて、ログインを所望するカラオケリモコン装置及びカラオケ演奏端末の少なくとも一方に、ログイン認証情報を送信するための手段である。
【００１５】
ログイン認証手段は、カラオケリモコン装置又はカラオケ演奏端末の少なくとも一方を介して、ログイン認証情報を受信した場合に、当該ログイン認証情報に含まれる利用者特定情報（入力情報、仮ログインＩＤ等）で特定される利用者のログインを認証するための手段である。
【００１６】
このような構成からなるカラオケログインシステムでは、カラオケ演奏端末とカラオケリモコン装置とが関連付け（ペアリング）されている。また、カラオケ演奏端末は、インターネット等の通信回線を介して、カラオケサーバと接続されている。
【００１７】
そして、個人情報記憶手段の機能により、パーソナル携帯端末において、パーソナル携帯端末の所有者の個人情報と、当該パーソナル携帯端末の所有者のメールアドレスとを記憶する。この個人情報記憶手段は、例えば、パーソナル携帯端末のプロフィール記憶機能により実現することができる。一般的なパーソナル携帯端末のプロフィール記憶機能では、当該パーソナル携帯端末の所有者名、電話番号、メールアドレス等を記憶することができる。
【００１８】
また、個人情報送信手段の機能により、パーソナル携帯端末から、ログインを所望するカラオケリモコン装置及びカラオケ演奏端末の少なくとも一方に、個人情報及びメールアドレスを送信する。この個人情報送信手段は、例えば、パーソナル携帯端末の赤外線通信機能、近接無線通信機能等を用いて実現することができる。
【００１９】
カラオケリモコン装置及びカラオケ演奏端末の少なくとも一方に送信された個人情報及びメールアドレスは、個人情報受信手段の機能により、カラオケリモコン装置又はカラオケ演奏端末の少なくとも一方を介して、サーバ（例えば、個人情報管理サーバ）に送信される。個人情報及びメールアドレスを受信したサーバ（例えば、個人情報管理サーバ）は、個人情報登録手段の機能により、個人情報とメールアドレスとを関連付けて個人情報データベースに登録する。
【００２０】
そして、ダウンロードサイト情報送信手段の機能により、個人情報データベースに登録されたパーソナル携帯端末のメールアドレスに対して、ログイン用アプリケーションソフト生成サイトに接続するためのサイト情報をメール送信する。このサイト情報には、パーソナル携帯端末の所有者を特定可能な仮ログイン情報を含んでいる。
【００２１】
パーソナル携帯端末でサイト情報を受信すると、仮ログイン手段の機能により、ログイン用アプリケーション生成サイトに仮ログインする。この仮ログインは、利用者によりパスワード等を設定するために行われる仮のログインである。仮ログインが行われると、ログイン用アプリケーションソフト生成手段の機能により、ログイン用アプリケーションソフトをダウンロード可能に生成する。ログイン用アプリケーションソフトには、仮ログインした利用者を特定するための利用者特定情報と、少なくとも当該仮ログインした利用者により入力されたパスワードとを含むログイン認証情報が組み込まれている。仮ログインしたパーソナル携帯端末では、インストール手段の機能により、ログイン用アプリケーションソフトをダウンロードしてインストールする。
【００２２】
ログインを行うために、パーソナル携帯端末のログイン用アプリケーションソフトが起動されると、ログイン認証情報送信手段の機能により、ログインを所望するカラオケリモコン装置及びカラオケ演奏端末の少なくとも一方に、ログイン認証情報を送信する。そして、ログイン認証手段では、カラオケリモコン装置又はカラオケ演奏端末の少なくとも一方を介して、ログイン認証情報を受信すると、当該ログイン認証情報に含まれる利用者特定情報で特定される利用者のログインを認証する。
【発明の効果】
【００２３】
本発明のパーソナル携帯端末を用いたカラオケログインシステムによれば、パーソナル携帯端末の所有者の個人情報、メールアドレス、当該所有者により入力されたパスワード等を用いて、ログインを行うためのログイン認証情報を埋め込んだログイン用アプリケーションソフトを作成する。そして、このログイン用アプリケーションソフトを用いて、自動的に、カラオケリモコン装置及び、このカラオケリモコン装置とペアリングされたカラオケ演奏端末を含むカラオケシステムにログインすることができる。
【００２４】
したがって、利用者は、カラオケシステムにログインする際に、利用者ＩＤ及びパスワードを記憶している必要がなく、また、ＩＤカード等を所持していなくても、ログインを行う際に、利用者ＩＤやパスワード等を入力することなく、カラオケ演奏端末を含むカラオケシステムへ容易にログインすることができる。
【図面の簡単な説明】
【００２５】
【図１】本発明の実施形態に係るカラオケログインシステムの機能説明図。
【図２】本発明の実施形態に係るカラオケログインシステムの構成を示すブロック図。
【図３】パーソナル携帯端末のログイン操作画面の模式図。
【図４】カラオケリモコン装置のログイン認証画面の模式図。
【図５】本発明の実施形態に係るカラオケログインシステムにおけるログイン手順を示すタイミングチャート。
【発明を実施するための形態】
【００２６】
以下、図面を参照して、本発明のパーソナル携帯端末を用いたカラオケログインシステムの実施形態について説明する。図１〜図５は本発明の実施形態に係るカラオケログインシステムを示すもので、図１はカラオケログインシステムの機能説明図、図２はカラオケログインシステムのブロック図、図３はパーソナル携帯端末のログイン操作画面の模式図、図４はカラオケリモコン装置のログイン認証画面の模式図、図５はログイン手順を示すタイミングチャートである。
【００２７】
＜カラオケログインシステムの概要＞
本発明の実施形態に係るカラオケログインシステム１０は、アプリケーションソフトをダウンロードして組み込むことが可能なパーソナル携帯端末３０を用いて、カラオケリモコン装置６０と関連付け（ペアリング）されたカラオケ演奏端末４０を含むカラオケシステムにログインすることができるものである。
【００２８】
なお、図２において、カラオケリモコン装置６０をカラオケ演奏端末４０の構成要素として図示しているが、これは、カラオケ演奏端末４０においてカラオケリモコン装置６０が関連付けられている（ペアリングされている）ことを示すものであり、カラオケリモコン装置６０又はカラオケ演奏端末４０の少なくとも一方に情報を送信すると記載した場合には、カラオケリモコン装置６０に直接情報を送信する場合と、カラオケ本体４１を介してカラオケリモコン装置６０に情報を送信する場合と、カラオケ本体４１のみに情報を送信する場合とを含むものとする。
【００２９】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。また、メールアドレスとはｅ−ｍａｉｌアドレスのことであり、メールとはｅ−ｍａｉｌのことである。
【００３０】
このカラオケログインシステム１０は、図１に示すように、個人情報記憶手段３１と、個人情報送信手段３２と、個人情報受信手段２１と、個人情報登録手段２２と、ダウンロードサイト情報送信手段２３と、仮ログイン手段３３と、ログイン用アプリケーションソフト生成手段２４と、インストール手段３４と、ログイン認証情報送信手段３５と、ログイン認証手段２６とを備えている。本実施形態では、個人情報記憶手段３１、個人情報送信手段３２、仮ログイン手段３３、インストール手段３４、ログイン認証情報送信手段３５は、パーソナル携帯端末３０の構成要素となっており、個人情報受信手段２１、個人情報登録手段２２、ダウンロードサイト情報送信手段２３、ログイン用アプリケーションソフト生成手段２４、ログイン認証手段２６は、個人情報管理サーバ２０の構成要素となっている。各手段の機能については、後に詳述する。
【００３１】
＜カラオケログインシステム＞
本発明の実施形態に係るカラオケログインシステム１０は、図１及び図２に示すように、個人情報管理サーバ２０と複数のカラオケ演奏端末４０とが通信ネットワーク（本実施形態では、インターネット７０）を介して相互に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット７０により構成されるＶＰＮを利用することが好ましい。
【００３２】
＜カラオケサーバ＞
個人情報管理サーバ２０は、図２に示すように、個人情報受信手段２１、個人情報登録手段２２、ダウンロードサイト情報送信手段２３、ログイン用アプリケーションソフト生成手段２４、個人情報データベース２５、ログイン認証手段２６を備えている。なお、図示しないが、個人情報管理サーバ２０は、上述した手段の他に、データの送受信機能、データの管理機能、データの記憶機能等、サーバとしての基本的な機能を備えている。また、個人情報管理サーバ２０を個人情報の管理及びログイン用アプリケーションの生成等を行うサーバとして機能させるのではなく、各手段の機能を発揮するサーバを個別に構築してもよいし、他の機能を有するサーバに各手段の機能を兼ね備えさせてもよい。
【００３３】
＜個人情報受信手段＞
個人情報受信手段２１は、カラオケリモコン装置６０又はカラオケ演奏端末４０の少なくとも一方を介して、個人情報及びメールアドレスを受信するためのプログラムからなる。すなわち、カラオケリモコン装置６０とカラオケ演奏端末４０とは関連付け（ペアリング）されており、両者の間でデータの送受信を行うことができる。また、カラオケ演奏端末４０はインターネット７０を介して個人情報管理サーバ２０と接続されている。したがって、カラオケリモコン装置６０又はカラオケ演奏端末４０で受信したパーソナル携帯端末３０の個人情報及びメールアドレスは、カラオケリモコン装置６０又はカラオケ演奏端末４０の少なくとも一方を介して、個人情報管理サーバ２０へ送信することができる。
【００３４】
＜個人情報登録手段＞
個人情報登録手段２２は、受信した個人情報とメールアドレスとを関連付けて個人情報データベース２５に登録するためのプログラムからなる。すなわち、パーソナル携帯端末３０から送信され、カラオケリモコン装置６０及びカラオケ演奏端末４０、インターネット７０を介して受信した個人情報及びメールアドレスを関連付けて個人情報データベース２５に登録することにより、カラオケシステムの利用者を管理することができる。個人情報とは、例えば、パーソナル携帯端末３０の所有者名、パーソナル携帯端末３０の端末識別情報（ＵＩＤ）等、パーソナル携帯端末３０の所有者を特定することができれば、どのような情報であってもよい。
【００３５】
＜ダウンロードサイト情報送信手段＞
ダウンロードサイト情報送信手段２３は、個人情報データベース２５に登録されたパーソナル携帯端末３０のメールアドレスに対して、ログイン用アプリケーションソフト生成サイトに接続するための、当該パーソナル携帯端末３０の所有者を特定可能な仮ログイン情報を含むサイト情報（例えば、ＵＲＬ）をメール送信するためのプログラムからなる。
【００３６】
本実施形態では、ログイン用アプリケーションソフト生成サイトは個人情報管理サーバ２０となっているが、ログイン用アプリケーションソフト生成サイトを個人情報管理サーバ２０とは別個のサーバとして構築してもよい。
【００３７】
＜ログイン用アプリケーションソフト生成手段＞
ログイン用アプリケーションソフト生成手段２４は、仮ログインしたパーソナル携帯端末３０にダウンロードして使用させるため、当該利用者を特定するための利用者特定情報と、少なくとも当該仮ログインした利用者により入力されたパスワードとを含むログイン認証情報を組み込んだログイン用アプリケーションソフトをダウンロード可能に生成するためのプログラムからなる。利用者特定情報とは、登録利用者を特定できればどのような情報であってもよく、例えば、個人情報、メールアドレス、利用者名、利用者ＩＤ等を用いることができる。
【００３８】
ログイン用アプリケーションソフトとは、パーソナル携帯端末３０にダウンロードしてインストールすることが可能なアプリケーションソフトである。このログイン用アプリケーションソフトを起動することにより、カラオケ演奏端末４０へのログインが自動的に行われる。
【００３９】
＜個人情報データベース＞
個人情報データベース２５は、個人情報登録手段２２により作成されて管理されるデータベースである。この個人情報識別データベースを参照することにより、登録されている利用者の個人情報を取得することができる。なお、個人情報データベース２５は、個人情報、メールアドレス、パスワードの他に、個人に関する属性情報（性別、年齢、居住地）を含んでいてもよい。
【００４０】
＜ログイン認証手段＞
ログイン認証手段２６は、カラオケリモコン装置６０又はカラオケ演奏端末４０の少なくとも一方を介して、ログイン認証情報を受信した場合に、当該ログイン認証情報に含まれる利用者特定情報で特定される利用者のログインを認証するためのプログラムからなる。すなわち、ログイン認証手段２６では、個人情報データベース２５を参照して、受信したログイン認証情報に含まれる利用者特定情報が存在するか否かを確認し、当該利用者特定情報が個人情報データベース２５に存在する場合に、当該利用者特定情報で特定される利用者のログインを認証する。利用者特定情報とは、個人情報データベース２５に登録された情報の中で利用者を特定可能な情報のことであり、例えば、利用者ＩＤ、メールアドレス等からなる。
【００４１】
なお、本実施形態では、個人情報管理サーバ２０の機能として、個人情報登録手段２２、ダウンロードサイト情報送信手段２３、ログイン用アプリケーションソフト生成手段２４、個人情報データベース２５、ログイン認証手段２６を実現しているが、各手段を他のサーバの機能として実現してもよい。すなわち、ログイン用アプリケーションソフト管理サーバや、ログイン認証サーバ等の他のサーバにより、個人情報の管理以外の各手段の機能を実現することができる。このように、各手段の機能を複数のサーバに分散することにより、各サーバの負荷を軽減することができる。また、複数のサーバは、仮想化技術により構築してもよい。
【００４２】
＜カラオケ演奏端末＞
カラオケ演奏端末４０は、図２に示すように、カラオケ本体４１、カラオケリモコン装置６０、スピーカ４２、マイクロホン４３、表示装置４４、ミキシングアンプ４５を備えている。
【００４３】
＜カラオケリモコン装置＞
カラオケリモコン装置６０は、図２に示すように、カラオケ本体４１のローカル送受信手段５６との間で有線方式又は無線方式によりデータの送受信を行うようになっている。このカラオケリモコン装置６０は、楽曲検索手段６１として機能するプログラム、楽曲索引データベース６２、ユーザインタフェース機能を有する入出力表示部６３、カラオケ本体４１との間でデータの送受信を行うためのプログラム及び電子機器（図示せず）を備えている。このカラオケリモコン装置６０に付帯するスイッチ類や、入出力表示部６３に表示される各種のアイコン等を操作することにより、選曲操作等が行われる。
【００４４】
＜楽曲検索手段／楽曲索引データベース＞
楽曲検索手段６１は、利用者の指示に基づき、楽曲索引データベース６２を参照して楽曲を検索するためのプログラムからなる。楽曲索引データベース６２は、カラオケ演奏端末４０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段６１により楽曲検索を行うと、例えば、カラオケリモコン装置６０の入出力表示部６３に、検索結果が一覧表示される。
【００４５】
＜入出力表示部＞
入出力表示部６３は、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、ログイン認証等、種々の操作を行うことができる。
【００４６】
＜カラオケ本体＞
カラオケ本体４１は、図２に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、映像再生制御手段５９を備えている。
【００４７】
＜中央制御手段＞
中央制御手段５２は、カラオケ本体４１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００４８】
＜ＲＯＭ／ＲＡＭ＞
ＲＯＭ５３は、カラオケ本体４１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能する装置で、本実施形態では予約待ち行列５４ａが記憶されている。
【００４９】
＜予約待ち行列＞
予約待ち行列５４ａは、選曲予約されたカラオケ楽曲について、演奏順に楽曲ＩＤを並べて構成したデータテーブルである。なお、予約待ち行列５４ａは、楽曲ＩＤの他に、楽曲名、選曲者等のデータを含んでいてもよい。
【００５０】
＜ＨＤＤ＞
ＨＤＤ５５は、大容量記憶装置として機能するもので、楽曲データベース５５ａ及び映像データベース５５ｂが格納されている。なお、ＨＤＤ５５に替えて、あるいはＨＤＤ５５と共に、データを書き替え可能なＤＶＤ等の大容量記憶装置を用いてもよい。
【００５１】
＜楽曲データベース／映像データベース＞
楽曲データベース５５ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータである。
【００５２】
＜送受信手段＞
ネットワーク送受信手段５１は、カラオケ本体４１と個人情報管理サーバ２０との間で、データの送受信を行うための電子回路及びプログラムからなる。ローカル送受信手段５６は、カラオケ本体４１とカラオケリモコン装置６０との間で、データの送受信を行うための電子回路及びプログラムからなる。本実施形態では、赤外線通信により、カラオケ本体４１とカラオケリモコン装置６０との間でデータの送受信が行われる。
【００５３】
＜予約管理手段＞
予約管理手段５７は、カラオケリモコン装置６０により選曲予約が行われた場合に、選曲予約された楽曲の楽曲ＩＤを演奏順に並べて予約待ち行列５４ａを生成し、この予約待ち行列５４ａをＲＡＭ５４に格納して管理するためのプログラムからなる。
【００５４】
＜音楽再生制御手段＞
音楽再生制御手段５８は、楽曲ＩＤに基づいて楽曲データベース５５ａから抽出された演奏制御データに基づいて、音源データをデジタル再生すると共にアナログ変換してミキシングアンプ４５に出力するための電子回路である。上述したように、ミキシングアンプ４５は、マイクロホン４３から入力された歌唱者の歌唱音声信号と、音楽再生制御手段５８から送出される演奏音声信号とをミキシングすると共に、アンプ機能により増幅してスピーカ４２より出力させるための装置である。
【００５５】
＜映像再生制御手段＞
映像再生制御手段５９は、カラオケ楽曲の演奏中に、映像データベース５５ｂから抽出した背景映像データと、楽曲データベース５５ａに含まれる歌詞描出データ（テロップデータ）とを、当該カラオケ楽曲の演奏データに同期させて表示装置４４に出力するためのプログラムからなる。
【００５６】
＜マイクロホン＞
マイクロホン４３は、歌唱音声の入力を行うための装置である。マイクロホン４３から入力された歌唱音声信号はミキシングアンプ４５に入力され、音楽再生制御手段５８から送出される演奏音声信号とミキシングされると共に増幅されてスピーカ４２へ出力される。
【００５７】
＜表示装置＞
表示装置４４は、カラオケ楽曲に関連した背景映像や歌詞テロップ等を表示するための装置で、例えば、液晶ディスプレイ等により構成される。
【００５８】
＜パーソナル携帯端末＞
パーソナル携帯端末３０は、携帯電話機能、データ通信機能、撮像機能等の基本的な機能の他に、個人情報記憶手段３１、個人情報送信手段３２、仮ログイン手段３３、インストール手段３４、ログイン認証情報送信手段３５、端末メモリ３６を備えており、例えば、携帯電話、スマートフォン等からなる。このパーソナル携帯端末３０は、携帯電話網８０及びインターネット７０を介して、個人情報管理サーバ２０及びその他のサーバ（図示せず）とデータの送受信を行うことができる。
【００５９】
＜個人情報記憶手段＞
個人情報記憶手段３１は、パーソナル携帯端末３０において、少なくとも、当該パーソナル携帯端末３０の所有者の個人情報３６ａと、当該パーソナル携帯端末３０の所有者のメールアドレス３６ｂとを記憶するためのプログラムからなる。この個人情報記憶手段３１は、例えば、一般的なパーソナル携帯端末３０が備えているプロフィール記憶機能により実現することができる。
【００６０】
＜個人情報送信手段＞
個人情報送信手段３２は、利用者がログインに使用するパーソナル携帯端末３０から、ログインを所望するカラオケリモコン装置６０及びカラオケ演奏端末４０の少なくとも一方に、個人情報３６ａ及びメールアドレス３６ｂを送信するためのプログラムからなる。この個人情報送信手段３２は、一般的なパーソナル携帯端末３０が備えている赤外線通信機能や近接無線通信機能を用いて、カラオケリモコン装置６０又はカラオケ演奏端末４０に対して情報の送信を行う。なお、複数のメールアドレスが記憶されている場合には、いずれか一つのメールアドレスを選択させればよい。
【００６１】
上述したように、カラオケ演奏端末４０と、このカラオケ演奏端末４０で使用するカラオケリモコン装置６０は関連付けられている（ペアリングされている）ため、カラオケリモコン装置６０及びカラオケ演奏端末４０の少なくとも一方に情報を送信することにより、両者で情報を共有することができる。
【００６２】
＜仮ログイン手段＞
仮ログイン手段３３は、受信したサイト情報に基づいて、ログイン用アプリケーション生成サイト（本実施形態では個人情報管理サーバ２０）に仮ログインするためのプログラムからなる。この仮ログインは、利用者によりパスワード等を設定するために行われる仮のログインである。
【００６３】
＜インストール手段＞
インストール手段３４は、仮ログインしたパーソナル携帯端末３０において、ダウンロード可能に生成されたログイン用アプリケーションソフトをダウンロードしてインストールするためのプログラムからなる。パーソナル携帯端末３０にログイン用アプリケーションソフトがインストールされると、当該パーソナル携帯端末３０を用いてカラオケシステムにログインできるようになる。
【００６４】
＜ログイン認証情報送信手段＞
ログイン認証情報送信手段３５は、ログイン用アプリケーションソフトが起動した場合に機能する手段であり、ログイン用アプリケーションソフトがインストールされたパーソナル携帯端末３０において、当該ログイン用アプリケーションソフトの機能を用いて、ログインを所望するカラオケリモコン装置６０及びカラオケ演奏端末４０の少なくとも一方に、ログイン認証情報を送信するためのプログラムからなる。
【００６５】
＜端末メモリ＞
端末メモリ３６は、パーソナル携帯端末３０において種々のデータを記憶するための装置で、本実施形態の端末メモリ３６には、少なくとも、個人情報３６ａ及びメールアドレス３６ｂが記憶されており、さらに、ダウンロードしたログイン用アプリケーションソフト３６ｃが記憶されている。また、これらの情報の他に、アドレス帳、撮影機能を用いて撮影した画像、スケジュールデータ等、その記憶容量に合わせて種々の情報を記憶することができる。
【００６６】
＜ログイン認証＞
次に、図１〜図５を参照して、本実施形態のカラオケログインシステム１０におけるログイン認証について説明する。
【００６７】
本実施形態のカラオケログインシステム１０においてログイン認証を行うには、まず初めに、個人情報送信手段３２の機能により、ログインに利用するパーソナル携帯端末３０から、ログインを所望するカラオケリモコン装置６０及びカラオケ演奏端末４０（カラオケ本体４１）の少なくとも一方に、個人情報３６ａ及びメールアドレス３６ｂを送信する。パーソナル携帯端末３０から送信する個人情報３６ａ及びメールアドレス３６ｂは、個人情報記憶手段３１の機能により、端末メモリ３６に記憶されている。
【００６８】
そして、カラオケリモコン装置６０が個人情報及びメールアドレスを受信すると、通信回線（インターネット７０）を介して、当該個人情報及びメールアドレスを個人情報管理サーバ２０に送信する。個人情報管理サーバ２０では、個人情報登録手段２２の機能により、これらのデータを関連付けて個人情報データベース２５に登録して管理する。
【００６９】
個人情報管理サーバ２０では、ダウンロードサイト情報送信手段２３の機能により、個人情報データベース２５に登録されたパーソナル携帯端末３０のメールアドレスに対して、ログイン用アプリケーションソフト生成サイト（本実施形態では個人情報管理サーバ２０）に接続するためのサイト情報（仮ログイン情報を含む）をメール送信する。
【００７０】
パーソナル携帯端末３０でサイト情報を受信すると、仮ログイン手段３３の機能により、ログイン用アプリケーション生成サイト（本実施形態では個人情報管理サーバ２０）に仮ログインし、パスワード等の設定が行われる。また、ログイン用アプリケーションソフト生成手段２４の機能により、ログイン用アプリケーションソフトをダウンロード可能に生成する。ログイン用アプリケーションソフトには、仮ログインした利用者を特定するための利用者特定情報と、パスワードとを含むログイン認証情報が組み込まれている。
【００７１】
また、仮ログインしたパーソナル携帯端末３０では、インストール手段３４の機能により、ログイン用アプリケーションソフトをダウンロードしてインストールする。
【００７２】
パーソナル携帯端末３０でログイン用アプリケーションソフトが起動されると、ログイン認証情報送信手段３５の機能により、ログインを所望するカラオケリモコン装置６０及びカラオケ演奏端末４０（カラオケ本体４１）の少なくとも一方に、ログイン認証情報を送信する。ログイン認証情報は、カラオケリモコン装置６０又はカラオケ演奏端末４０（カラオケ本体４１）の少なくとも一方を介して、個人情報管理サーバ２０へ送信される。
【００７３】
ログイン認証情報を受信した個人情報管理サーバ２０は、ログイン認証手段２６の機能により、当該ログイン認証情報に含まれる利用者特定情報で特定される利用者のログインを認証する。
【００７４】
なお、カラオケ演奏端末４０と、このカラオケ演奏端末４０で使用するカラオケリモコン装置６０とは関連付け（ペアリング）されているため、カラオケリモコン装置６０がパーソナル携帯端末３０から受信した情報は、カラオケ演奏端末４０（カラオケ本体４１）と共有することができ、さらに、インターネット７０を介して個人情報管理サーバ２０に送信することができる。同様に、個人情報管理サーバ２０から受信した情報は、カラオケ演奏端末４０（カラオケ本体４１）を介してカラオケリモコン装置６０に送信することができる。したがって、本発明で用いるログイン認証のための情報は、カラオケ演奏端末４０（カラオケ本体４１）と、このカラオケ演奏端末４０（カラオケ本体４１）で使用するカラオケリモコン装置６０のいずれか一方に送信すればよい。
【００７５】
＜他の実施形態＞
本発明のパーソナル携帯端末３０を用いたカラオケログインシステム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００７６】
１０  カラオケログインシステム
２０  個人情報管理サーバ
２１  個人情報受信手段
２２  個人情報登録手段
２３  ダウンロードサイト情報送信手段
２４  ログイン用アプリケーションソフト生成手段
２５  個人情報データベース
２６  ログイン認証手段
３０  パーソナル携帯端末
３１  個人情報記憶手段
３２  個人情報送信手段
３３  仮ログイン手段
３４  インストール手段
３５  ログイン認証情報送信手段
３６  端末メモリ
３６ａ  個人情報
３６ｂ  メールアドレス
３６ｃ  ログイン用アプリケーションソフト
４０  カラオケ演奏端末
４１  カラオケ本体
４２  スピーカ
４３  マイクロホン
４４  表示装置
４５  ミキシングアンプ
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５６  ローカル送受信手段
５７  予約管理手段
５８  音楽再生制御手段
５９  映像再生制御手段
６０  カラオケリモコン装置
６１  楽曲検索手段
６２  楽曲索引データベース
６３  入出力表示部
７０  インターネット
８０  携帯電話網
【図１】
0005709272.tif 000002
【図２】
0005709272.tif 000003
【図３】
0005709272.tif 000004
【図４】
0005709272.tif 000005
【図５】
0005709272.tif 000006